(57)【特許請求の範囲】
【請求項１】
水路に設置された越流堰からの越流落下水の水音を消音するための消音装置であって、
水路の上端部に固定されて越流堰の真上を覆う上部防音板と、前記越流堰の上流側で上部防音板に下流方向に揺動可能にヒンジ結合されて、下端部のフロートが上流側の水面に浮上可能な上流側防音板と、前記越流堰の下流側で上部防音板に下流方向に揺動可能にヒンジ結合されて、下端部が下流側の水面下に潜り込み可能な下流側防音板とを備えていることを特徴とする越流堰の消音装置。
【請求項２】
前記越流堰は、起伏ゲートであり、この起伏ゲートの倒伏に連動して下流側防音板を下流方向に揺動させる連動機構が設けられていることを特徴とする請求項１に記載の越流堰の消音装置。
【請求項３】
前記下流側防音板を下流方向に揺動操作可能な操作機構が設けられていることを特徴とする請求項１または２に記載の越流堰の消音装置。
【発明の詳細な説明】
【技術分野】
【０００１】
本発明は、越流堰の消音装置に関する。
【背景技術】
【０００２】
従来、水路に設置された越流堰からの越流落下水の水音を消音するために、越流堰の下流側の上方を可撓性シートで覆ったものがある（特許文献１参照）。
【特許文献１】実開昭５９−１０３３１号公報
【発明の開示】
【発明が解決しようとする課題】
【０００３】
しかしながら、背景技術は、越流堰の下流側の上方を可撓性シート（騒音防止カバー）で覆うだけのものであったから、洪水時には水流を妨げるおそれがあるとともに、可撓性シートの下流端側に堆積する浮遊物の除去等のメンテナンスが煩わしいという問題があった。
【０００４】
また、民家近くの水路である場合には、景観性が非常に悪いという問題があった。
【０００５】
本発明は、前記問題を解消するためになされたもので、洪水時には水流を妨げず、浮遊物の除去等のメンテナンスが簡単に行え、かつ景観性が向上する越流堰の消音装置を提供することを目的とするものである。
【課題を解決するための手段】
【０００６】
前記課題を解決するために、本発明は、水路に設置された越流堰からの越流落下水の水音を消音するための消音装置であって、水路の上端部に固定されて越流堰の真上を覆う上部防音板と、前記越流堰の上流側で上部防音板に下流方向に揺動可能にヒンジ結合されて、下端部のフロートが上流側の水面に浮上可能な上流側防音板と、前記越流堰の下流側で上部防音板に下流方向に揺動可能にヒンジ結合されて、下端部が下流側の水面下に潜り込み可能な下流側防音板とを備えていることを特徴とする越流堰の消音装置を提供するものである。
【０００７】
請求項２のように、前記越流堰は、起伏ゲートであり、この起伏ゲートの倒伏に連動して下流側防音板を下流方向に揺動させる連動機構が設けられていることが好ましい。
【０００８】
請求項３のように、前記下流側防音板を下流方向に揺動操作可能な操作機構が設けられていることが好ましい。
【発明の効果】
【０００９】
本発明によれば、上部防音板と上流側防音板と下流側防音板とで、水路に設置された越流堰の全体を覆うから、越流堰からの越流落下水の水音が外部に漏れないので、効果的に消音できるようになる。しかも、上流側防音板のフロートが上流側の水面に浮上するので、上流側防音板の下端部と水面との隙間からも越流落下水の水音が外部に漏れることが全く無いとともに、下流側防音板の下端部が下流側の水面下に潜り込むので、下流側防音板の下端部と水面との隙間からも越流落下水の水音が外部に漏れることが全く無い。
【００１０】
また、上流側防音板のフロートが上流側の水面に浮上することで、上流側の水位に応じて上流側防音板が自動的に揺動するから、水流を妨げるおそれがない。
【００１１】
さらに、洪水時に下流側防音板を下流方向に揺動させれば、洪水時の水流を妨げるおそれがないとともに、平常時に下流側防音板を下流方向に揺動させれば、堆積した浮遊物の除去等のメンテナンスが簡単に行えるようになる。
【００１２】
さらにまた、上部防音板と上流側防音板と下流側防音板とで越流堰を覆うから、可撓性シートの覆いと比べて景観性も向上するようになる。
【００１３】
請求項２によれば、洪水時に連動機構で起伏ゲートの倒伏に連動して下流側防音板を下流方向に揺動させると、洪水時の水流を妨げるおそれがなくなる。
【００１４】
請求項３によれば、操作機構で下流側防音板を下流方向に揺動させると、堆積した浮遊物の除去等のメンテナンスがより簡単に行えるようになる。
【発明を実施するための最良の形態】
【００１５】
以下、本発明を実施するための最良の形態について、図面を参照しながら詳細に説明する。
【００１６】
図１は、水路１の起伏ゲート（越流堰）３に設置された消音装置の平面図（下流に向かって、上部防音板６の左半分の図示を省略）、図２は、図１の側面断面図、図３は、図１の正面図（下流に向かって、上流側防音板１０と起伏ゲート３の左半分の図示を省略）、図４は、上部防音板６と上流側防音板１０と下流側防音板１４との分解斜視図である。
【００１７】
民家近くのコンクリート製の水路１は、底部１ａと両側壁１ｂ，１ｂとで構成されて、両側壁１ｂ，１ｂの上面には、安全柵２がそれぞれ立てられている。
【００１８】
水路１には、起伏ゲート３が設置されている。この起伏ゲート３は、図２に実線で示した起立位置Ｕと、二点鎖線で示した倒伏位置Ｄとに揺動するようにヒンジ軸４で揺動自在に支持されて、油圧シリンダ（不図示）によって、起立位置Ｕと倒伏位置Ｄとに揺動制御されるようになっている。この起伏ゲート３の上部には、スポイラ５が取付けられている。
【００１９】
起伏ゲート３は、常時は、図示の起立位置Ｕに保持されているとともに、洪水時等に、上流側が所定水位に達したことをフロート（水位計）等で検出すると、自動的に倒伏位置Ｄに揺動するように制御される。
【００２０】
起伏ゲート３の真上を覆う四角形状の上部防音板６が設けられ、この上部防音板６は、水路１の両側壁１ｂ，１ｂの上端付近に止着された固定金具７に固定されている。この上部防音板６の左右両端部には、両側壁１ｂ，１ｂとの間の隙間を塞ぐ上部防音ゴム８が取付けられているとともに、上部防音板６の内面には、防音ゴムシート（不図示）が貼り付けられている。
【００２１】
起伏ゲート３の上流側で上部防音板６の上流側端部には、上流側防音板１０がヒンジ軸１１で下流方向に揺動可能に（図２の二点鎖線ａ参照）ヒンジ結合されている。この上流側防音板１０の下端部には、上流側の水面Ｌ１，Ｌ２に浮上可能なフロート１２が取付けられている。この上流側防音板１０の左右両端部には、両側壁１ｂ，１ｂとの間の隙間を塞ぐ側部防音ゴム１３が取付けられているとともに、上流側防音板１０の内面には、防音ゴムシート（不図示）が貼り付けられている。なお、水面Ｌ１は通常水位であり、水面Ｌ２は越流の限界水位である。
【００２２】
起伏ゲート３の下流側で上部防音板６の下流側端部には、下流側防音板１４がヒンジ軸１５で下流方向に揺動可能に（図２の二点鎖線ｂ参照）ヒンジ結合されている。この下流側防音板１４の下端部は、下流側の水面Ｌ３下に潜り込むように設定されている。この下流側防音板１４の左右両端部には、両側壁１ｂ，１ｂとの間の隙間を塞ぐ側部防音ゴム１６が取付けられているとともに、下流側防音板１４の内面には、防音ゴムシート（不図示）が貼り付けられている。
【００２３】
起伏ゲート３の上部位置ｃと下流側防音板１４の下部位置ｄとは、一方（図１では下側）の側壁１ｂ側に設置された複数のガイドプーリ２０でガイドされるワイヤーロープ２１で連結されていて、起伏ゲート３が実線で示した起立位置Ｕの時は、下流側防音板１４が実線で示した上流方向に揺動されて、上部防音板６の下流側を閉じるとともに、起伏ゲート３が二点鎖線で示した倒伏位置Ｄの時は、下流側防音板１４が二点鎖線ｂで示した下流方向に揺動されて、上部防音板６の下流側を開くようになっている。このガイドプーリ２０とワイヤーロープ２１は、連動機構２２を構成する。
【００２４】
また、他方（図１では上側）の側壁１ｂの上面には、手動の操作機構（ウインチ）２４が設置されている。
【００２５】
この操作機構２４には取り外し式の操作ハンドル２４ａが設けられ、このハンドル２４ａを手動で回動操作することで（二点鎖線ｅ参照）、ワイヤーロープ２５を介して下流側防音板１４が二点鎖線ｂで示した下流方向に揺動されて、上部防音板６の下流側を開けるようになっている。この場合、起伏ゲート３に連動するワイヤーロープ２１は弛むようになる。
【００２６】
前記のような起伏ゲート３の消音装置であれば、上部防音板６と上流側防音板１０と下流側防音板１４とで、水路１に設置された起伏ゲート３の全体を覆うから、起伏ゲート３からの越流落下水の水音が外部に漏れないので、効果的に消音できるようになる。
【００２７】
しかも、上流側防音板１０のフロート１２が上流側の水面Ｌ１，Ｌ２に浮上するので、上流側防音板１０の下端部と水面Ｌ１，Ｌ２との隙間からも越流落下水の水音が外部に漏れることが全く無いとともに、下流側防音板１４の下端部が下流側の水面Ｌ３下に潜り込むので、下流側防音板１４の下端部と水面との隙間からも越流落下水の水音が外部に漏れることが全く無い。
【００２８】
また、上流側防音板１０のフロートが上流側の水面Ｌ１，Ｌ２に浮上することで、上流側の水位に応じて上流側防音板１０が自動的に揺動するから、水流を妨げるおそれがない。
【００２９】
さらに、洪水時には、連動機構２２で起伏ゲート３の倒伏に連動して下流側防音板１４を下流方向に揺動されるから、洪水時の水流を妨げるおそれがなくなる。
【００３０】
また、平常時には、操作機構２４で下流側防音板１４を下流方向に揺動させると、堆積した浮遊物の除去等のメンテナンスがより簡単に行えるようになる。
【００３１】
さらにまた、上部防音板６と上流側防音板１０と下流側防音板１４とで起伏ゲート３を覆うから、可撓性シートの覆いと比べて景観性も向上するようになる。
【００３２】
前記実施形態は、越流堰として、起伏ゲート３を例に取ったが、起伏しない固定の越流堰にも本発明は適用できることは言うまでもない。
【図面の簡単な説明】
【００３３】
【図１】本発明の実施形態に係る消音装置の要部破断平面図である。
【図２】図１の側面断面図である。
【図３】図１の要部破断正面図である。
【図４】上部防音板と上流側防音板と下流側防音板との分解斜視図である。
【符号の説明】
【００３４】
１    水路
３    起伏ゲート（越流堰）
６    上部防音板
１０  上流側防音板
１２  フロート
１４  下流側防音板
２２  連動機構
２４  操作機構
【図１】
0004823997.tif 000002
【図２】
0004823997.tif 000003
【図３】
0004823997.tif 000004
【図４】
0004823997.tif 000005